【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
検体を前記検体の所望のｘ’方向に沿って撮像する方法であって、
画像センサを、前記画像センサの画素行が前記検体の前記所望のｘ’方向と実質的に平行するように回転させるステップであって、前記検体の前記所望のｘ’方向は、前記検体が配置されたＸＹ移動ステージのｘ方向から、角度的にオフセットされるものであり、前記ＸＹ移動ステージは、前記画像センサに対してｘ方向およびｙ方向に移動可能である、回転させるステップと；
前記ＸＹ移動ステージの前記ｘ方向と比較しての前記所望のｘ’方向のオフセット角を判定するステップと；
前記ＸＹ移動ステージを用いて前記検体を前記所望のｘ’方向に沿って１つまたは複数の位置に移動させるステップとを含む、方法。
【請求項２】
オフセット角を判定する前記ステップが、
前記所望のｘ’方向に沿って整列されひいてはそれを規定していた前記検体における第１の焦点特徴と第２の焦点特徴の間のｘ距離およびｙ距離を測定することであって、前記ｘ距離およびｙ距離は、前記ＸＹ移動ステージの前記ｘ方向およびｙ方向に対して測定されることを含む、請求項１に記載の方法。
【請求項３】
前記ｘ距離およびｙ距離を測定する前記ステップが、
前記第１の焦点特徴を、前記画像センサの１つまたは複数のターゲット画素と重なるように配置することと、その後に、
前記検体を移動させて、前記第２の焦点特徴を前記同一の１つまたは複数のターゲット画素と重なるように配置することであって、前記ｘ距離およびｙ距離を測定する前記ステップが、前記検体を移動させて、前記第２の焦点特徴を前記同一の１つまたは複数のターゲット画素と重なるように配置する前記ステップを達成するのに必要な、前記移動ステージのｘおよびｙ移動の大きさ（ΔＸ、ΔＹ）である、移動させることとを含む、請求項２に記載の方法。
【請求項４】
前記ターゲット画素が、前記画像センサの中心を包含する、請求項３に記載の方法。
【請求項５】
前記画像センサを回転させる前記ステップが、前記ｘ’方向に走っている、前記検体上の軸規定特徴を特定することと、コンピュータビジョンを用いて前記画素行を前記検体の前記軸規定特徴に実質的に平行に整列させることとを含む、請求項３に記載の方法。
【請求項６】
前記画像センサを回転させる前記ステップが、前記ｘ距離およびｙ距離を測定する前記ステップの前に行われる、請求項５に記載の方法。
【請求項７】
前記画像センサを回転させる前記ステップが、前記第１の焦点特徴と前記第２の焦点特徴の間の参照線を計算するのに適した画像のモザイクを取得することと、コンピュータビジョンを用いて前記画像センサの前記画素行を前記参照線と整列させることとを含む、請求項１に記載の方法。
【請求項８】
オフセット角を判定する前記ステップが、
前記ｘ’方向に沿って整列されかつそれを規定している第１の焦点特徴と第２の焦点特徴の間のｘ距離およびｙ距離を測定することであって、前記ｘ距離およびｙ距離は、前記ＸＹ移動ステージの前記ｘ方向およびｙ方向に対して測定されることを含み、画像のモザイクを取得する前記ステップが、前記ｘ距離およびｙ距離を測定する前記ステップを実行しながら実行される、請求項７に記載の方法。
【請求項９】
前記画像センサを回転させる前記ステップの前に、前記画素行を前記ＸＹ移動ステージの前記ｘ方向に実質的に平行に整列させる前記ステップを含む、請求項１に記載の方法。
【請求項１０】
前記画像センサを回転させる前記ステップが、
前記検体上の軸規定特徴を特定することであって、前記軸規定特徴の特定は、前記所望のｘ’方向に走っている検出可能形状を有する、特定することと；
コンピュータビジョンを用いて前記画素行を前記検出可能形状に実質的に平行に整列させることとを含み、
前記オフセット角を判定する前記ステップが、
前記画像センサの、前記画素行を前記ＸＹ移動ステージの前記ｘ方向に実質的に平行に整列させる前記ステップ後のその位置から、前記画像センサを回転させる前記ステップ後のその位置までの回転度を測定することを含む、請求項９に記載の方法。
【請求項１１】
顕微鏡と；
画素行および画素列を含む、画像データを記録する画像センサと；
ｘ方向およびｙ方向に移動可能であるＸＹ移動ステージと；
前記画像センサを前記ＸＹ移動ステージ上の検体に対して、前記画素行が前記検体のｘ’方向と実質的に平行するように回転させ、
前記ＸＹ移動ステージを移動させ、
前記ＸＹ移動ステージの前記ｘ方向と比較しての前記ｘ’方向のオフセット角を判定し、
前記検体全体を前記ｘ’ 方向にスキャンするように構成されているプロセッサとを備える、顕微鏡システム。
【請求項１２】
前記プロセッサが、さらに、
前記所望のｘ’方向に沿って整列されひいてはそれを規定している前記検体の第１の焦点特徴と第２の焦点特徴の間のｘ距離およびｙ距離を測定することによってオフセット角を判定するように構成され、前記ｘ距離およびｙ距離は、前記移動ステージの前記ｘ方向およびｙ方向に対して測定される、請求項１１に記載の顕微鏡システム。
【請求項１３】
前記ｘ距離およびｙ距離を測定することが、
前記第１の焦点特徴を、前記画像センサの１つまたは複数のターゲット画素と重なるように配置することと、その後で、
前記検体を移動させて、前記第２の焦点特徴を前記同一の１つまたは複数のターゲット画素と重なるように配置することとを含み、前記ｘ距離およびｙ距離を測定する前記ステップは、前記検体を移動させて、前記第２の焦点特徴を前記同一の１つまたは複数のターゲット画素と重なるように配置する前記ステップを達成するのに必要な、前記移動ステージのｘおよびｙ移動の大きさ（ΔＸ、ΔＹ）である、請求項１２に記載の顕微鏡システム。
【請求項１４】
前記ターゲット画素が、前記画像センサの中心を包含する、請求項１３に記載の顕微鏡システム。
【請求項１５】
前記画像センサを回転させることが、前記ｘ’方向に走っている、前記検体上の軸規定特徴を特定することと、コンピュータビジョンを用いて前記画素行を前記検体の前記軸規定特徴と実質的に平行に整列させることとを含む、請求項１３に記載の顕微鏡システム。
【請求項１６】
前記画像センサを回転させることが、前記ｘ距離およびｙ距離を測定する前に行われる、請求項１５に記載の顕微鏡システム。
【請求項１７】
前記画像センサを回転させることが、前記第１の焦点特徴と前記第２の焦点特徴の間の参照線を計算するのに適した画像のモザイクを取得することと、コンピュータビジョンを用いて前記画像センサの前記画素行を前記参照線と整列させることとを含む、請求項１３に記載の顕微鏡システム。
【請求項１８】
画像のモザイクを取得することが、前記ｘ距離およびｙ距離を測定することを実行しながら実行される、請求項１７に記載の顕微鏡システム。
【請求項１９】
前記画像センサを回転させる前に、前記プロセッサが、前記画像センサの前記画素行を前記ＸＹ移動ステージの前記ｘ方向と実質的に平行に整列させるように構成されている、請求項１１に記載の顕微鏡システム。
【請求項２０】
前記画像センサを回転させることが、
前記検体上の軸規定特徴を特定することであって、前記軸規定特徴は、前記所望のｘ’方向に走っている検出可能形状を有する、特定することと；
コンピュータビジョンを用いて前記画素行を前記検出可能形状と実質的に平行に整列させることとを含み、
前記オフセット角を判定することが、
前記画像センサの、前記画素行を前記ＸＹ移動ステージの前記ｘ方向と実質的に平行に整列させる前記ステップ後のその位置から、前記画像センサを回転させる前記ステップ後のその位置までの回転度を測定することを含む、請求項１９に記載の顕微鏡システム。